(57)【要約】【課題】時間帯によって太陽光の照射角度が変化しても、居室者にとって眩しくなく、柔らかい光で室内を窓際から室奥まで均一に照らすことができ、更に、窓面の熱ロスを抑制して省エネルギー化を図ることができるロールスクリーンを提供することを目的とする。【解決手段】スクリーン２の縦方向の両端がそれぞれロール状に巻回された採光窓用のロールスクリーン１において、スクリーン２Ａの透明基材２０の窓側の表面に、室内側から窓側に向かって下向きに傾斜した反射面２１を有する複数の反射突起２２が縦方向に並設されており、該複数の反射突起２２の反射面２１の傾斜角度が上側の反射突起２２から下側の反射突起２２にかけて漸次大きくなっている。【選択図】図２
2012224975.tif 000002
【特許請求の範囲】
【請求項１】
スクリーンの縦方向の両端がそれぞれロール状に巻回された採光窓用のロールスクリーンにおいて、
前記スクリーンの透明基材の窓側の表面に、室内側から窓側に向かって下向きに傾斜した反射面を有する複数の反射突起が縦方向に並設されており、該複数の反射突起の反射面の傾斜角度が上側の反射突起から下側の反射突起にかけて漸次大きくなっていることを特徴とするロールスクリーン。
【請求項２】
請求項１に記載のロールスクリーンにおいて、
前記スクリーンが、光を通過させる透明部、光の一部を通過させる半透明部、及び光を遮断する遮光部のうちの少なくとも１つと、前記透明基材の表面に複数の前記反射突起が並設された反射部と、が連設された構成からなることを特徴とするロールスクリーン。
【発明の詳細な説明】
【技術分野】
【０００１】
本発明は、採光窓用のロールスクリーンに関するものである。
【背景技術】
【０００２】
従来、採光窓に設置するブラインドとして、例えば下記特許文献１に示されているような、太陽光を室内に直接照射させずにスラットで反射させて照射する昼光利用可能なブラインドが提案されている。このブラインドは、スラットの傾斜角度（水平面に対する角度）が上側のスラットから下側のスラットにかけて漸次大きくなっている。
【０００３】
前記した従来のブラインドによれば、スラットに反射した反射光が天井に当たった上で室内を照らす間接光となるので、柔らかい光で室内を照らすことができる。しかも、各スラットによる反射光の入射角度（水平面に対する角度）が、上側のスラットから下側のスラットにかけて漸次大きくなるので、ブラインドからの反射光が居室者に直接当たらず眩しくなく、しかも柔らかい光で室内を窓際から室奥まで均一に照らすことができる。
【０００４】
さらに、複数のスラットを連結するラダーテープを操作して各スラットの傾斜角度を変化させることで、反射光の入射角度を変化させることができるので、時間帯によって変化する太陽光の照射角度に応じて各スラットの傾斜角度を変化させることで、反射光の入射角度を最適な角度に調整することができる。
【先行技術文献】
【特許文献】
【０００５】
【特許文献１】特開平１０−３１７８５０号公報
【発明の概要】
【発明が解決しようとする課題】
【０００６】
しかしながら、上記した従来のブラインドでは、昼光利用する際に、スラット間に隙間があけられた状態となり、気密性が低くなるため、窓面の熱ロスが大きいという問題が存在する。
【０００７】
本発明は、上記した従来の問題が考慮されたものであり、時間帯によって太陽光の照射角度が変化しても、居室者にとって眩しくなく、柔らかい光で室内を窓際から室奥まで均一に照らすことができ、さらに、窓面の熱ロスを抑制して省エネルギー化を図ることができるロールスクリーンを提供することを目的としている。
【課題を解決するための手段】
【０００８】
本発明に係るロールスクリーンは、スクリーンの縦方向の両端がそれぞれロール状に巻回された採光窓用のロールスクリーンにおいて、前記スクリーンの透明基材の窓側の表面に、室内側から窓側に向かって下向きに傾斜した反射面を有する複数の反射突起が縦方向に並設されており、該複数の反射突起の反射面の傾斜角度が上側の反射突起から下側の反射突起にかけて漸次大きくなっていることを特徴としている。
【０００９】
このような特徴により、窓側から照射された太陽光が反射突起の反射面に反射し、その反射光が透明基材を通過して室内に入射する。このとき、反射突起の反射面は、室内側から窓側に向かって下向きに傾斜しているので、反射光は、天井に当たった上で室内を照らす間接光となる。また、複数の反射突起の反射面の傾斜角度が縦方向上側の反射突起から下側の反射突起にかけて漸次大きくなっているので、各反射突起による反射光の入射角度（水平面に対する角度）が、上側の反射突起から下側の反射突起にかけて漸次大きくなる。これにより、反射光が居室者に直接当たりにくくなり、しかも、反射光が室内の窓際から室奥までの広範囲に亘って入射される。
【００１０】
また、ロールスクリーンの両端のロール部を軸回転させ、一方のロール部からスクリーンを繰り出すと共に他方のロール部でスクリーンを巻き取ることで、両端のロール部間に張設されたスクリーンが縦方向に移動し、そのスクリーンの張設部分に設けられた反射突起の傾斜角度を変更することができる。すなわち、上側のロール部からスクリーンを繰り出すと共に下側のロール部でスクリーンを巻き取ることで、両端のロール部間に張設されたスクリーンが下降し、そのスクリーンの張設部分に設けられた反射突起の傾斜角度は小さくなり、反対に、下側のロール部からスクリーンを繰り出すと共に上側のロール部でスクリーンを巻き取ることで、両端のロール部間に張設されたスクリーンが上昇し、そのスクリーンの張設部分に設けられた反射突起の傾斜角度は大きくなる。これにより、太陽光の照射角度に応じて最適な傾斜角度の反射突起を両端のロール部間に配設させて良好な昼光利用を図ったり、反射光が室内に入射されないような傾斜角度の反射突起を両端のロール部間に配設させて反射光の室内への入射を抑制したりする。
なお、本発明における「傾斜角度」とは、水平面に対する角度のことをいう。
【００１１】
また、本発明に係るロールスクリーンは、前記スクリーンが、光を通過させる透明部、光の一部を通過させる半透明部、及び光を遮断する遮光部のうちの少なくとも１つと、前記透明基材の表面に複数の前記反射突起が並設された反射部と、が連設された構成からなることが好ましい。
【００１２】
これにより、両端のロール部を軸回転させる操作を行うことで、必要なときに必要な機能を持った部位を両端のロール部間の位置に張設させることができる。すなわち、両端のロール部間に透明部を張設させることで、太陽光を室内に取り入れると共に室内から屋外の景色を眺望することができる。また、両端のロール部間に半透明部を張設させることで、太陽光を室内に取り入れると共に目隠しすることができる。また、両端のロール部間に遮光部を張設させることで、太陽光が室内に入射されるのを遮断すると共に目隠しすることができる。さらに、両端のロール部間に反射部を張設させることで、上述したような昼光利用を行うことができる。
【発明の効果】
【００１３】
本発明に係るロールスクリーンによれば、時間帯によって太陽光の照射角度が変化しても、居室者にとって眩しくなく、柔らかい光で室内を窓際から室奥まで均一に照らすことができる。さらに、窓際にスクリーンが常に張設された状態となるため、スクリーンと窓との間に常時空気層が形成され、しかも気密性が高いので、窓面の熱ロスを抑制することができる。これにより、室内の冷暖房の省エネルギー化を図ることができる。
【図面の簡単な説明】
【００１４】
【図１】本発明の実施の形態を説明するためのロールスクリーンの正面図である。
【図２】本発明の実施の形態を説明するためのロールスクリーンの縦断面図である。
【図３】本発明の実施の形態を説明するためのロールスクリーンの縦断面図である。
【図４】本発明の実施の形態を説明するためのロールスクリーンの縦断面図である。
【発明を実施するための形態】
【００１５】
以下、本発明に係るロールスクリーンの実施の形態について、図面に基いて説明する。
【００１６】
図１に示すロールスクリーン１は、採光窓１０の室内側に対向して配設される採光窓用のロールスクリーンであり、スクリーン２の縦方向の両端がそれぞれロール状に巻回された構成からなる。すなわち、ロールスクリーン１の上端部及び下端部には、スクリーン２を繰り出し可能に巻き取ったロール機構３、４がそれぞれ配設されており、これら上下のロール機構３、４の間にスクリーン２が張設されている。ロール機構３、４は、スクリーン２がロール状に巻き付けられた軸部５と、その軸部５を回転駆動させる図示せぬ回転機構と、採光窓１０の額縁などに取り付けられる取付部６と、を備えている。取付部６は、採光窓１０の横幅方向に沿って延在しており、この取付部６の両端には、軸部５を支持するブラケット部７が突設されている。また、回転機構は、電動式でも手動式でもよい。
【００１７】
前記したスクリーン２は、機能の異なる複数のシートが直列に連設された構成からなる。具体的に説明すると、スクリーン２には、太陽光Ｌを室内の天井に向けて反射する反射部２Ａ（図２、図３に示す）と、太陽光Ｌを通過させる透明部２Ｂ（図４（ａ）に示す）と、太陽光Ｌの一部を通過させる半透明部２Ｃ（図４（ｂ）に示す）と、太陽光Ｌを遮断する遮光部２Ｄ（図４（ｃ）に示す）と、が備えられている。これら各部位２Ａ〜２Ｄの順番は適宜変更可能であり、反射部２Ａ、透明部２Ｂ、半透明部２Ｃ、遮光部２Ｄの順番で連設されたものに限定されない。また、各部位２Ａ〜２Ｂの長さは、少なくとも上側のロール部２ａと下側のロール部２ｂとの間の距離よりも長くなっている。
【００１８】
反射部２Ａは、図２に示すように、透明基材２０の窓側（図２における右側）の表面に、縦方向に並設された複数の反射突起２２が突設された構成からなる。透明基材２０は、可撓性を有する透明な幕体であり、公知の透明スクリーンを使用することができる。
【００１９】
前記した反射突起２２は、スクリーン２の幅方向（図１における横方向）に延在する断面視略三角形状のプリズムであり、反射突起２２の上面側に、室内側（図２における左側）から窓側に向かって下向きに傾斜した反射面２１が形成されている。これら複数の反射突起２２の反射面２１は、上側の反射突起２２から下側の反射突起２２にかけて傾斜角度（水平面に対する角度）が漸次大きくなっていると共に縦方向に隣り合う反射突起２２の間隔が広くなっている。具体的に説明すると、上側に位置する反射突起２２Ａの反射面２１の傾斜角度θ１は、縦方向中間に位置する反射突起２２Ｂの反射面２１の傾斜角度θ２よりも小さく、下側に位置する反射突起２２Ｃの反射面２１の傾斜角度θ１は、縦方向中間に位置する反射突起２２Ｂの反射面２１の傾斜角度θ２よりも大きくなっている。
【００２０】
また、透明部２Ｂは、公知の透明スクリーンを使用することができ、例えば、上記した反射部２Ａの透明基材２０のみからなる部位であってもよい。
半透明部２Ｃは、透明部２Ｂよりも光透過性が低い可撓性を有する幕体であり、公知のシースルースクリーンを使用することができる。例えば、上記した透明基材２０の表面にシースルー加工を施した構成であってもよい。
遮光部２Ｄは、半透明部２Ｃよりも更に光透過性が低い可撓性を有する幕体であり、公知の暗幕スクリーンを使用することができる。例えば、上記した透明基材２０の表面に遮光膜を積層させた構成であってもよい。
【００２１】
次に、上記した構成からなるロールスクリーン１の作用について説明する。
【００２２】
上記したロールスクリーン１では、上下のロール機構３、４の図示せぬ回転機構を駆動させて上側のロール機構３及び下側のロール機構４の軸部５をそれぞれ軸回転させ、一方のロール部２ａ（２ｂ）からスクリーン２を繰り出すと共に他方のロール部２ｂ（２ａ）でスクリーン２を巻き取ると、両端のロール部２ａ，２ｂ間においてスクリーン２が縦方向に移動する。これにより、必要なときに必要な機能を持ったスクリーン２の部位２Ａ〜２Ｄを両端のロール部２ａ，２ｂ間の位置に張設させることができる。
【００２３】
例えば、図２、図３に示すように、上下両端のロール部２ａ，２ｂの間に反射部２Ａを張設させると、採光窓１０側から照射された太陽光Ｌが反射突起２２の反射面２１に反射し、その反射光Ｌ´が透明基材２０を通過して室内Ｘに入射する。このとき、反射突起２２の反射面２１は、室内Ｘ側から採光窓１０側に向かって下向きに傾斜しているので、反射光Ｌ´は、天井Ｙに当たった上で室内Ｘを照らす間接光となる。
【００２４】
また、複数の反射突起２２の反射面２１の傾斜角度が縦方向上側の反射突起２２から下側の反射突起２２にかけて漸次大きくなっているので、各反射突起２２による反射光Ｌ´の入射角度（水平面に対する角度）が、上側の反射突起２２から下側の反射突起２２にかけて漸次大きくなる。これにより、反射光Ｌ´が居室者に直接当たりにくくなり、しかも、反射光Ｌ´が室内Ｘの窓際から室奥までの広範囲に亘って入射され、好適な昼光利用を図ることができる。
【００２５】
また、上述したように両端のロール部２ａ，２ｂ間に張設されたスクリーン２を縦方向に移動させることで、そのスクリーン２の張設部分に設けられた反射突起２２の反射面２１の傾斜角度を変更することができる。
【００２６】
すなわち、緩傾斜の反射突起２２（傾斜角度の小さい反射面２１を有する反射突起２２）が突設されたスクリーン２を上側のロール部２ａから繰り出しつつ、急傾斜の反射突起２２（傾斜角度の大きい反射面２１を有する反射突起２２）が突設されたスクリーン２を下側のロール部２ｂで巻き取り、両端のロール部２ａ，２ｂ間に張設されたスクリーン２を下降させることで、そのスクリーン２の張設部分に設けられた反射突起２２の傾斜角度は小さくなる。反対に、急傾斜の反射突起２２（傾斜角度の大きい反射面２１を有する反射突起２２）が突設されたスクリーン２を下側のロール部２ｂから繰り出しつつ、緩傾斜の反射突起２２（傾斜角度の小さい反射面２１を有する反射突起２２）が突設されたスクリーン２を上側のロール部２ａで巻き取り、両端のロール部２ａ，２ｂ間に張設されたスクリーン２を上昇させることで、そのスクリーン２の張設部分に設けられた反射突起２２の傾斜角度は大きくなる。
【００２７】
これにより、太陽光Ｌの照射角度に応じて最適な傾斜角度の反射突起２２を両端のロール部２ａ間に配設させて良好な昼光利用を図ったり、反射光Ｌ´が室内に入射されないような傾斜角度の反射突起２２を両端のロール部２ａ，２ｂ間に配設させて反射光Ｌ´の室内Ｘへの入射を抑制したりする。
【００２８】
また、図４（ａ）に示すように、上下両端のロール部２ａ，２ｂの間に透明部２Ｂを張設させると、太陽光Ｌがスクリーン２を通過して室内Ｘに取り入れられる。また、スクリーン２越しに室内Ｘから屋外の景色を眺望することが可能となる。
【００２９】
また、図４（ｂ）に示すように、上下両端のロール部２ａ，２ｂの間に半透明部２Ｃを張設させると、太陽光Ｌの一部がスクリーン２を通過して室内Ｘに取り入れられる。また、スクリーン２によって目隠しされる。
【００３０】
また、図４（ｃ）に示すように、上下両端のロール部２ａ，２ｂの間に遮光部２Ｄを張設させると、太陽光Ｌがスクリーン２によって遮断され、屋外から室内Ｘに光が入射されなくなる。また、スクリーン２によって目隠しされる。
【００３１】
上記したロールスクリーン１によれば、時間帯によって太陽光Ｌの照射角度が変化しても、居室者にとって眩しくなく、柔らかい光で室内Ｘを窓際から室奥まで均一に照らすことができる。
【００３２】
さらに、採光窓１０に対向してスクリーン２が常に張設された状態となるため、スクリーン２と採光窓１０との間に常時空気層が形成され、しかもスクリーン２の気密性が高いので、採光窓１０における熱ロスを抑制することができる。これにより、室内Ｘの冷暖房の省エネルギー化を図ることができる。
【００３３】
また、上記したロールスクリーン１によれば、必要なときに必要な機能を持った部位２Ａ〜２Ｄを両端のロール部２ａ，２ｂ間の位置に張設させることができるので、複数のロールスクリーンを設置したり必要に応じて異なる種類のロールスクリーンを付け替えたりする必要がなく、低コストで多様なニーズに対応することができる。
【００３４】
以上、本発明に係るロールスクリーンの実施の形態について説明したが、本発明は上記した実施の形態に限定されるものではなく、その趣旨を逸脱しない範囲で適宜変更可能である。
例えば、上記した実施の形態では、反射部２Ａ、透明部２Ｂ、半透明部２Ｃ及び遮光部２Ｄが連設されたスクリーン２を備えるロールスクリーン１について説明しているが、本発明は、透明部２Ｂ、半透明部２Ｃ及び遮光部２Ｄのうちの少なくとも１つが省略された構成であってもよい。
【００３５】
また、上記した実施の形態では、採光窓１０の額縁にロールスクリーン１の上下の取付部６，６が固定されているが、本発明のロールスクリーン１の取付箇所は適宜変更可能であり、ロールスクリーン１の取付部６，６を壁面に取り付けても良く、或いは天井面と床面に取り付けても良い。
【００３６】
その他、本発明の主旨を逸脱しない範囲で、上記した実施の形態における構成要素を周知の構成要素に置き換えることは適宜可能であり、また、上記した変形例を適宜組み合わせてもよい。
【符号の説明】
【００３７】
１  ロールスクリーン
２  スクリーン
２Ａ  反射部
２Ｂ  透明部
２Ｃ  半透明部
２Ｄ  遮光部
１０  採光窓
２０  透明基材
２１  反射面
２２（２２Ａ〜２２Ｄ）  反射突起
Ｘ  室内
【図１】
2012224975.tif 000003
【図２】
2012224975.tif 000004
【図３】
2012224975.tif 000005
【図４】
2012224975.tif 000006